(57)【要約】      （修正有）【課題】軒下に監視カメラを水平に監視カメラを固定し、かつ、水平を出す手間を極力低減させることができる軒下監視カメラ固定具を提供する。【解決手段】軒裏に固定される固定部材１０と、固定部材１０の軒先側において回転可能に固定され下方に監視カメラを固定する回動部材２０と、回動部材２０の上方側に設けられる回転軸３４に垂直な板体からなり、回転軸３４を中心とする円弧を横切るように形成される長穴４１が設けられる第二係止部材４０と、固定部材１０から下垂し第二係止部材４０に重なるよう配置される、細長い穴からなる調整穴３１が形成された板体からなる第一係止部材３０であって、調整穴３１に固定部材１０と回動部材２０とが異なる二以上の角度を取ったときに、角度ごとに第二係止部材４０の長穴４１と重なるように形成される切り欠き部が設けられるものである第一係止部材３０と、第二係止部材４０の長穴４１と第一係止部材３０の調整穴３１とを貫くように固定されるピンとから構成する。【選択図】図１
0003204869.tif 000002
【実用新案登録請求の範囲】
【請求項１】
軒裏に固定される固定部材と、
固定部材の軒先側において水平面及び軒裏に平行な回転軸回りに回転可能に固定される、下方に監視カメラを固定する回動部材と、
前記回動部材の上方側に設けられる前記回転軸に垂直な板体からなり、当該板体において前記回転軸を中心とする円弧を横切るように形成される長穴が設けられる第一係止部材と、
前記固定部材から下垂する、前記第一係止部材に重なるよう配置される、細長い穴からなる調整穴が形成された板体からなる第二係止部材であって、当該調整穴には、前記固定部材と回動部材とが異なる二以上の角度を取ったときに、角度ごとに前記第一係止部材の前記長穴と重なるように形成される切り欠き部が設けられるものである第二係止部材と、
前記第一係止部材の長穴と前記第二係止部材の調整穴とを貫くように固定されるピンと
を有する軒下監視カメラ固定具。
【請求項２】
前記第一係止部材は前記固定部材の外縁に対向するように二枚設けられ、前記第二係止部材は前記回動部材の外縁において、前記第一係止部材の内側面に重なるように二枚設けられるものである請求項１に記載の軒下監視カメラ固定具。
【請求項３】
前記第二係止部材に、前記調整とは別に前記固定部材と回動部材とが所定の角度を取ったときに前記前記第一係止部材の前記長穴と重なる穴である第二調整穴が設けられる請求項１又は２に記載の軒下監視カメラ固定具。
【考案の詳細な説明】
【技術分野】
【０００１】
本考案は、傾斜角が異なる複数の軒下に対して、監視カメラを水平に固定するために使用する器具に関する。
【背景技術】
【０００２】
野外において吊り下げるタイプの監視カメラを軒下に取り付ける場合、軒下には傾斜があるので、直接取り付けることができない。このため、作業現場において鉄板などを組み合わせて水平を出した取り付け場所を形成し、ここに監視カメラを取り付けるといった作業を行う必要があった。しかしながら、このような作業は煩雑であり監視カメラの取り付け作業の効率を著しく低下させていた。
一方、下記特許文献には軒下に対象物を水平に固定するための器具が開示されている。これらに記載の器具は、対象物の軒に対する角度を任意に調整して固定する構造を有するものであり、監視カメラの取り付けにおいても、下記特許文献に示されている器具のような方法を採用すれば作業性を向上できると予想できる。
【先行技術文献】
【特許文献】
【０００３】
【特許文献１】特開平11-319390号公報
【特許文献２】特開平9-313784号公報
【特許文献３】特表2008-517676号公報
【特許文献４】実用新案登録第3091206号公報
【特許文献５】特開2007-209574号公報
【特許文献６】実開平6-11577号公報
【考案の概要】
【考案が解決しようとする課題】
【０００４】
しかし、上記特許文献に示される方法は任意の角度に調整できることで、任意の角度の軒下に固定できるが、完全な水平を出すためには水平器などによる測定が必要となる。一方、屋根の角度は３寸勾配、４寸勾配、５寸勾配と一定値に定まっている場合がほとんどであり、軒の角度もこれに対応して決まっている。従って、取り付ける角度も所定のいくつかに限定できるようにすれば、水平を測定する手間を省くことができると考えられる。
本考案は、このような観点に立ち、傾斜角度の異なる複数種類の軒下に監視カメラを水平に監視カメラを固定でき、さらに、水平を出す手間を極力低減させることができる器具を提供することを課題とする。
【課題を解決するための手段】
【０００５】
上記課題を解決するために、本考案は、次のような構成を有する。
請求項１に記載の考案は、軒裏に固定される固定部材と、固定部材の軒先側において地面及び軒裏に平行な回転軸回りに回転可能に固定される、下方に監視カメラを固定する回動部材と、前記回動部材の上方側に設けられる前記回転軸に垂直な板体からなり、当該板体において前記回転軸を中心とする円弧を横切るように形成される長穴が設けられる第一係止部材と、前記固定部材から下垂する、前記第一係止部材に重なるよう配置される、細長い穴からなる調整穴が形成された板体からなる第二係止部材であって、当該調整穴には、前記固定部材と回動部材とが異なる二以上の角度を取ったときに、角度ごとに前記第一係止部材の前記長穴と重なるように形成される切り欠き部が設けられるものである第二係止部材と、前記第一係止部材の長穴と前記第二係止部材の調整穴とを貫くように固定されるピンとを有する軒下監視カメラ固定具である。
請求項２に記載の考案は、前記軒下監視カメラ固定具において、前記第一係止部材は前記固定部材の外縁に対向するように二枚設けられ、前記第二係止部材は前記回動部材の外縁において、前記第一係止部材の内側面に重なるように二枚設けられるものである。
請求項３に記載の考案は、前記軒下監視カメラ固定具において、前記第二係止部材に、前記調整とは別に前記固定部材と回動部材とが所定の角度を取ったときに前記前記第一係止部材の前記長穴と重なる穴である第二調整穴が設けられるものである。
【考案の効果】
【０００６】
以上のような構成により、本考案は、次のような効果を奏する。
請求項１に記載の考案は、固定部材を軒下に固定すると、回動部材は固定部材に対して回転軸周りに回動するので、第一係止部材の長穴と、第二部材の調整穴に形成される所望の角度となる切り欠き部とを重ね、この状態で重なった部分をピンにより固定すると第一係止部材と第二部材とが固定されるので監視カメラを固定する回動部材を固定部材に所望の角度を取った状態で固定することができる。そして、特定の切り欠き部を選択することで所定の角度を取ることができるので、水平を現場で測定する手間を削減することができる。
請求項２に記載の考案は、第一係止部材及び第二係止部材を外側に対向するように設けることで回動部材を安定して固定させることができる。
請求項３に記載の考案は、第一調整穴の他に第二調整穴を設けることで、切り欠き部が所望の角度に対して配置できないような場合が生じても、第二調整穴によって当該角度に対応できるようにすることが可能となる。
【図面の簡単な説明】
【０００７】
【図１】実施形態に係る軒下監視カメラ固定具の斜視図である。
【図２】実施形態に係る軒下監視カメラ固定具の分解斜視図である。
【図３】一方側の第一係止部材の拡大側面図である。
【図４】（ａ）〜（ｅ）はそれぞれ異なる角度の軒に軒下監視カメラ固定具を固定する場合の状態を示す側面図である。
【考案を実施するための形態】
【０００８】
以下、本考案の実施の形態について、図面を参照しながら説明する。
図１に本実施形態に係る軒下監視カメラ固定具Ｘの斜視図を示し、図２に軒下監視カメラＸの分解斜視図を示す。軒下監視カメラＸは固定部材１０、回動部材２０、第一係止部材３０、第二係止部材４０、ピン部５０を有する。
固定部材１０は、長方形状の外形の略中央に長方形状の穴が形成され、前方の両端側が突出しこれらの先端が半円状に形成された金属の板状体で、四隅にネジ止めするための穴が設けられている。
回動部材２０は、前方側が半円状に形成され後方側が長方形状に形成された金属の板状体であり中央前方寄りに監視カメラを固定するための円形の穴が形成されている。
【０００９】
第一係止部材３０は固定部材１０の両側縁後方側から下垂する板状部材で固定部材１０と一体に形成される。図３に一方側の第一係止部材３０の拡大側面図を示す。第一係止部材３０は後方側の横長の長方形部分と前方側の前方上側の角が欠けた縦長の長方形部分とが組み合わさった鉤形の板体である。横長の長方形部分後方にネジ穴３３が形成され、縦長の長方形部分に第一調整穴３１、第二調整穴３２が形成される。ネジ穴３３には回転軸となるトラスネジ３４が係合固定される。第一調整穴３１は、縦に延びる長穴の側縁の４箇所に水平に延びる切り欠き部３１ａ、３１ｂ、３１ｃ、３１ｄが形成されている。切り欠き部３１ａ、３１ｂ、３１ｃ、３１ｄのそれぞれの位置は固定部材１０と回動部材２０とが想定される角度を形成したときに、後述する第二係止部材４０に形成される長穴と重なるように形成される。ここで想定される角度は切り欠き部３１ａは水平であり、切り欠き部３１ｂは３寸勾配であり、切り欠き部３１ｃは４寸勾配であり、切り欠き部３１ｄは５寸勾配である。第二調整穴３２は、上下に延びる短い長穴であり、固定部材１０と回動部材２０とが想定される角度、ここでは６寸勾配を形成したときに、後述する第二係止部材４０に形成される長穴と重なるように形成される。
【００１０】
第二係止部材４０は回動部材２０の両側縁後方側から上方に立設される板状部材で回動部材と一体に形成される。第二係止部材４０は横長の略長方形状の板体であり、前方から中央やや後方寄りに至る長穴４１と、後端近傍に設けられる第一係止部材３０に固定されたトラスネジ３４が緩く嵌る大きさの丸穴４２とが形成されている。丸穴４２にトラスネジ３４が通ることで、第二係止部材４０と一体に形成される回動部材２０は、第一係止部材３０に一体に固定される固定部材１０に対してトラスネジ３４を回転軸として回動自在に固定されることとなる。
ピン部５０はボルト５１、ワッシャー５２、ナット５３とから構成される。ボルト５１は第一係止部材３０の第一調整穴３１又は第二調整穴３２と、これに重なる第二係止部材４０の長穴４１とが重なった穴にワッシャー５２を挟んで外側から通り、ナット５３が内側から係合することでピン部５０は、第一係止部材３０及び第二係止部材４０とに固定される。ボルト５１の外径は、第一調整穴３０の切り欠き部３１ａ〜３１ｄ及び第二調整３２の径よりも若干小さなものが採用される。
【００１１】
次に、以上のような構成を有する軒下監視カメラ固定具Ｘの使用方法について説明する。使用者は、まず、ピン部５０を取り外した状態で、固定部材１０を軒下にコンクリートビス等で固定する。この際、後方のトラスネジ３４がある方が軒先に向くようにする。次に、回動部材２０を水平にし、第一係合部材３０の第一調整穴３１又は第二調整穴３２と第二係合部材４０の長穴４１とが重なって形成された穴にピン部５０のボルト５１を通す。第一調整穴３１の切り欠き部３１ａ〜３１ｄ及び第二調整穴３２は既存の屋根の勾配のいずれかに合致するように形成されているので、重なって形成される穴は一般的な屋根である限り、切り欠き部３１ａ〜３１ｄ又は第二調整穴３２と重なる。具体的に、軒下の角度が水平である場合は、図４（ａ）に示すように切り欠き部３１ａと長穴４１が重なるので、ここにボルト５１を通し固定する。軒下の角度が３寸勾配である場合は、図４（ｂ）に示すように切り欠き部３１ｂと長穴４１が重なるので、ここにボルト５１を通し固定する。軒下の角度が４寸勾配である場合は、図４（ｃ）に示すように切り欠き部３１ｃと長穴４１が重なるので、ここにボルト５１を通し固定する。軒下の角度が５寸勾配である場合は、図４（ｄ）に示すように切り欠き部３１ｄと長穴４１が重なるので、ここにボルト５１を通し固定する。軒下の角度が６寸勾配である場合は、図４（ｅ）に示すように第二調整穴３２と長穴４１が重なるので、ここにボルト５１を通し固定する。なお、水平から４寸勾配の間であることがあらかじめわかっている場合は、第一調整穴３１の任意の位置と長穴４１とを重ねてボルト５１を通しておき、その後回動部材２０を水平になるようにボルト５１を移動させるようにすることもできる。以上のような手順で、反対側もボルト５１を通して固定が完了したら、回動部材２０の下面に監視カメラを固定して作業が終了する。
以上説明したように、本実施形態に係る軒下監視カメラ固定具Ｘは、特定の角度で固定できるので、取り付け現場で水平を測定する必要がなく、監視カメラの取り付け作業を効率化させることができる。
【００１２】
なお、上記実施形態に示した第一調整穴の形状は例示であり機能を果たすことができれば形状は適宜変更することができる。また、上記実施形態では第二調整穴を設けているが、第一調整穴に第二調整穴の角度に対応する切り欠き部を設けることで省略することもできる。また、第二調整穴を複数設けるようにしてもよい。
【符号の説明】
【００１３】
Ｘ  軒下監視カメラ固定具
１０  固定部材
２０  回動部材
３０  第一係止部材
３１  第一調整穴
３２  第二調整穴
３４  トラスネジ（回転軸）
４０  第二係視部材
４１  長穴
５０  ピン部
５１  ボルト
【図１】
0003204869.tif 000003
【図２】
0003204869.tif 000004
【図３】
0003204869.tif 000005
【図４】
0003204869.tif 000006
【手続補正書】
【提出日】平成28年4月12日(2016.4.12)
【手続補正１】
【補正対象書類名】実用新案登録請求の範囲
【補正対象項目名】請求項１
【補正方法】変更
【補正の内容】
【請求項１】
軒裏に固定される固定部材と、
固定部材の軒先側において水平面及び軒裏に平行な回転軸回りに回転可能に固定される、下方に監視カメラを固定する回動部材と、
前記回動部材の上方側に設けられる前記回転軸に垂直な板体からなり、当該板体において前記回転軸を中心とする円弧を横切るように形成される長穴が設けられる第二係止部材と、
前記固定部材から下垂する、前記第二係止部材に重なるよう配置される、細長い穴からなる調整穴が形成された板体からなる第一係止部材であって、当該調整穴には、前記固定部材と回動部材とが異なる二以上の角度を取ったときに、角度ごとに前記第二係止部材の前記長穴と重なるように形成される切り欠き部が設けられるものである第一係止部材と、
前記第二係止部材の長穴と前記第一係止部材の調整穴とを貫くように固定されるピンと
を有する軒下監視カメラ固定具。
【手続補正２】
【補正対象書類名】実用新案登録請求の範囲
【補正対象項目名】請求項３
【補正方法】変更
【補正の内容】
【請求項３】
前記第一係止部材に、前記調整穴とは別に前記固定部材と回動部材とが所定の角度を取ったときに前記前記第二係止部材の前記長穴と重なる穴である第二調整穴が設けられる請求項１又は２に記載の軒下監視カメラ固定具。
【手続補正３】
【補正対象書類名】明細書
【補正対象項目名】０００５
【補正方法】変更
【補正の内容】
【０００５】
上記課題を解決するために、本考案は、次のような構成を有する。
請求項１に記載の考案は、軒裏に固定される固定部材と、固定部材の軒先側において地面及び軒裏に平行な回転軸回りに回転可能に固定される、下方に監視カメラを固定する回動部材と、前記回動部材の上方側に設けられる前記回転軸に垂直な板体からなり、当該板体において前記回転軸を中心とする円弧を横切るように形成される長穴が設けられる第二係止部材と、前記固定部材から下垂する、前記第二係止部材に重なるよう配置される、細長い穴からなる調整穴が形成された板体からなる第一係止部材であって、当該調整穴には、前記固定部材と回動部材とが異なる二以上の角度を取ったときに、角度ごとに前記第二係止部材の前記長穴と重なるように形成される切り欠き部が設けられるものである第一係止部材と、前記第二係止部材の長穴と前記第一係止部材の調整穴とを貫くように固定されるピンとを有する軒下監視カメラ固定具である。
請求項２に記載の考案は、前記軒下監視カメラ固定具において、前記第一係止部材は前記固定部材の外縁に対向するように二枚設けられ、前記第二係止部材は前記回動部材の外縁において、前記第一係止部材の内側面に重なるように二枚設けられるものである。
請求項３に記載の考案は、前記軒下監視カメラ固定具において、前記第一係止部材に、前記調整穴とは別に前記固定部材と回動部材とが所定の角度を取ったときに前記前記第二係止部材の前記長穴と重なる穴である第二調整穴が設けられるものである。
【手続補正４】
【補正対象書類名】明細書
【補正対象項目名】０００６
【補正方法】変更
【補正の内容】
【０００６】
以上のような構成により、本考案は、次のような効果を奏する。
請求項１に記載の考案は、固定部材を軒下に固定すると、回動部材は固定部材に対して回転軸周りに回動するので、第二係止部材の長穴と、第一部係止部材の調整穴に形成される所望の角度となる切り欠き部とを重ね、この状態で重なった部分をピンにより固定すると第一係止部材と第二係止部材とが固定されるので監視カメラを固定する回動部材を固定部材に所望の角度を取った状態で固定することができる。そして、特定の切り欠き部を選択することで所定の角度を取ることができるので、水平を現場で測定する手間を削減することができる。
請求項２に記載の考案は、第一係止部材及び第二係止部材を外側に対向するように設けることで回動部材を安定して固定させることができる。
請求項３に記載の考案は、第一調整穴の他に第二調整穴を設けることで、切り欠き部が所望の角度に対して配置できないような場合が生じても、第二調整穴によって当該角度に対応できるようにすることが可能となる。
【手続補正５】
【補正対象書類名】明細書
【補正対象項目名】００１３
【補正方法】変更
【補正の内容】
【００１３】
Ｘ  軒下監視カメラ固定具
１０  固定部材
２０  回動部材
３０  第一係止部材
３１  第一調整穴
３２  第二調整穴
３４  トラスネジ（回転軸）
４０  第二係止部材
４１  長穴
５０  ピン部
５１  ボルト